(57)【特許請求の範囲】
【請求項１】
枠体と、当該枠体に開閉自在に設けられ左右中間部で突き合わせて閉塞する一対の２枚折戸体とを備えた折戸において、
前記一対の２枚折戸体の少なくとも一方は、その突合せ側の戸先縦框に相互に回動自在に設けられた袖枠を有し、
前記戸先縦框および前記袖枠には、前記枠体の上レールおよび下レールに摺動自在に係合して、当該戸先縦框および当該袖枠の開閉を案内する上下一対のヒンジピン付の摺動子がそれぞれ設けられ、
少なくとも前記戸先縦框の上摺動子と前記袖枠の上摺動子とは一体的に連結され、
前記戸先縦框は、その上下一対の摺動子のヒンジピンと同軸上に縦框ヒンジピンを有し、
前記袖枠は、その上下一対の摺動子のヒンジピンと同軸上に袖枠ヒンジピンを有し、
前記戸先縦框と前記袖枠とは、一端部を前記縦框ヒンジピンに回動自在に軸支され他端部を前記袖枠ヒンジピンに回動自在に軸支されたヒンジアームにより、回動自在に連結されていることを特徴とする折戸。
【請求項２】
枠体と、当該枠体に開閉自在に設けられ左右中間部で突き合わせて閉塞する一対の２枚折戸体とを備えた折戸において、
前記一対の２枚折戸体の少なくとも一方は、その突合せ側の戸先縦框に相互に回動自在に設けられた袖枠を有し、
前記戸先縦框および前記袖枠には、前記枠体の上レールおよび下レールに摺動自在に係合して、当該戸先縦框および当該袖枠の開閉を案内する上下一対のヒンジピン付の摺動子がそれぞれ設けられ、
少なくとも前記戸先縦框の上摺動子と前記袖枠の上摺動子とは一体的に連結され、
前記戸先縦框は、その上下一対の摺動子のヒンジピンと同軸上に縦框ヒンジピンを有し、
前記戸先縦框と前記袖枠とは、一端部を前記縦框ヒンジピンに回動自在に軸支され他端部を前記袖枠に固定したヒンジアームにより、回動自在に連結されていることを特徴とする折戸。
【請求項３】
前記ヒンジアームには、前記戸先縦框の外周面に摺接して当該戸先縦框の回動を案内する摺接案内部が形成されていることを特徴とする請求項２に記載の折戸。
【発明の詳細な説明】
【０００１】
【発明の属する技術分野】
本発明は、開口幅を広く形成した出入口を有するバリアフリー設計の浴室等において、その出入口に設けられる折戸に関する。
【０００２】
【従来の技術】
バリアフリー設計の浴室等においては、使用者の車椅子での出入りや介護者を伴う移動用介護ホイストでの出入りを考慮してその出入口を広く形成しており、このような広幅の出入口に設けられる折戸として、例えば特開平１０−１０８８８８号公報に記載のものが知られている。この折戸は、枠体と、枠体に開閉自在に設けられた一対の２枚折戸体とで構成され、２枚折戸体を左右にそれぞれ折り畳むように開放することにより、十分な有効開口を得るようにしている。
【０００３】
【発明が解決しようとする課題】
このような従来の折戸では、例えばドア等に比して開閉動作に伴うデッドスペースを小さくすることができ、且つ引き戸等に比して有効開口幅を大きくとることができる利点を有している。しかし、寸法の異なる各種の出入口に対応させるべく折戸を切り詰める場合には、その２枚折戸体は２枚の扉体、すなわち一対の２枚折戸体では計４枚の扉体を切り詰める必要があり、出入口への寸法対応に手間のかかるものとなる。
【０００４】
本発明は、デッドスペースを小さくすることができると共に有効開口幅を大きくとることができ、且つ幅の異なる出入口への寸法対応を簡単に行うことができる折戸を提供することを目的とする。
【０００５】
【課題を解決するための手段】
本発明の折戸は、枠体と、枠体に開閉自在に設けられ左右中間部で突き合わせて閉塞する一対の２枚折戸体とを備えた折戸において、一対の２枚折戸体の少なくとも一方は、その突合せ側の戸先縦框に相互に回動自在に設けられた袖枠を有し、戸先縦框および袖枠には、枠体の上レールおよび下レールに摺動自在に係合して、戸先縦框および袖枠の開閉を案内する上下一対のヒンジピン付の摺動子がそれぞれ設けられ、少なくとも戸先縦框の上摺動子と袖枠の上摺動子とは一体的に連結され、戸先縦框は、その上下一対の摺動子のヒンジピンと同軸上に縦框ヒンジピンを有し、袖枠は、その上下一対の摺動子のヒンジピンと同軸上に袖枠ヒンジピンを有し、戸先縦框と袖枠とは、一端部を縦框ヒンジピンに回動自在に軸支され他端部を袖枠ヒンジピンに回動自在に軸支されたヒンジアームにより、回動自在に連結されていることを特徴とする。
【０００６】
この構成によれば、枠体により構成される開口部を一対の２枚折戸体で開閉するようにしているため、引戸などに比して有効開口幅を大きくとることができ、且つドア等に比して開閉のためのデッドスペースを小さくすることができる。また、一対の２枚折戸体の少なくとも一方の戸先縦框に、袖枠を回動自在に設けているため、各種幅の異なる袖枠を用意すること、或いは袖枠を適宜切り詰めることにより、幅の異なる開口部に対し寸法対応を簡単に行うことができる。すなわち、２枚折戸体を汎用的に用いて、各種幅の異なる開口部に対応させることができる。
また、袖枠の開閉移動を、上下一対の摺動子を介して枠体の上レールおよび下レールに案内させることができ、袖枠の姿勢を安定させることができる。また、少なくとも戸先縦框の上摺動子と袖枠の上摺動子とが、一体的に連結されているため、部品点数を削減することができると共に、袖枠の上摺動子が上枠の不連続部に臨んでも、この上摺動子が不連続部から脱落するのを有効に防止することができる。
さらに、戸先縦框と袖枠との相互の突き合わせ端に跨ってヒンジを介設することなく、両者を回動自在に連結することができる。このため、戸先縦框と袖枠との間のシール構造を単純化することができる。
【０００７】
本発明の他の折戸は、枠体と、枠体に開閉自在に設けられ左右中間部で突き合わせて閉塞する一対の２枚折戸体とを備えた折戸において、一対の２枚折戸体の少なくとも一方は、その突合せ側の戸先縦框に相互に回動自在に設けられた袖枠を有し、戸先縦框および袖枠には、枠体の上レールおよび下レールに摺動自在に係合して、戸先縦框および袖枠の開閉を案内する上下一対のヒンジピン付の摺動子がそれぞれ設けられ、少なくとも戸先縦框の上摺動子と袖枠の上摺動子とは一体的に連結され、戸先縦框は、その上下一対の摺動子のヒンジピンと同軸上に縦框ヒンジピンを有し、戸先縦框と袖枠とは、一端部を縦框ヒンジピンに回動自在に軸支され他端部を袖枠に固定したヒンジアームにより、回動自在に連結されていることを特徴とする。
【０００８】
この構成によれば、枠体により構成される開口部を一対の２枚折戸体で開閉するようにしているため、引戸などに比して有効開口幅を大きくとることができ、且つドア等に比して開閉のためのデッドスペースを小さくすることができる。また、一対の２枚折戸体の少なくとも一方の戸先縦框に、袖枠を回動自在に設けているため、各種幅の異なる袖枠を用意すること、或いは袖枠を適宜切り詰めることにより、幅の異なる開口部に対し寸法対応を簡単に行うことができる。すなわち、２枚折戸体を汎用的に用いて、各種幅の異なる開口部に対応させることができる。
また、袖枠の開閉移動を、上下一対の摺動子を介して枠体の上レールおよび下レールに案内させることができ、袖枠の姿勢を安定させることができる。また、少なくとも戸先縦框の上摺動子と袖枠の上摺動子とが、一体的に連結されているため、部品点数を削減することができると共に、袖枠の上摺動子が上枠の不連続部に臨んでも、この上摺動子が不連続部から脱落するのを有効に防止することができる。
さらに、回動中心が１箇所となるため、戸先縦框と袖枠との相互の回動が円滑になる。
【０００９】
この場合、ヒンジアームには、戸先縦框の外周面に摺接して戸先縦框の回動を案内する摺接案内部が形成されていることが、好ましい。
【００１０】
この構成によれば、ヒンジアームに形成した摺接案内部により、戸先縦框と袖枠との相互の回動をより一層、円滑に行わせることができる。
【００１１】
これらの場合、一対の２枚折戸体の一方を開閉動作させたときに、これに連動して他方を開閉動作させる開閉連動機構を、さらに備えることが好ましい。
【００１３】
この場合、一対の２枚折戸体の一方の戸先縦框には、開放動作開始時に他方の２枚折戸体を折曲げ方向に蹴り出す蹴出部材が設けられ、他方の戸先縦框には、蹴出部材に対応する被蹴出部材が設けられていることが、好ましい。
【００１５】
同様に、一対の２枚折戸体の一方の戸先縦框には、閉塞動作終了時に他方の２枚折戸体を折曲げ方向に蹴り込む蹴込部材が設けられ、他方の戸先縦框には、蹴込部材に対応する被蹴込部材が設けられていることが、好ましい。
【００１７】
これらの場合、戸先縦框および袖枠のいずれか一方には、相互に摺接して回動を案内する円弧凹部が形成され、他方には円弧凹部と相補的形状を為す円弧凸部が形成され、円弧凹部と円弧凸部の間には、シール部材が介設されていることが、好ましい。
【００１９】
これらの場合、戸先縦框および袖枠には、枠体の上レールおよび下レールに摺動自在に係合して、戸先縦框および袖枠の開閉を案内する上下一対の摺動子がそれぞれ設けられ、少なくとも戸先縦框の上摺動子と袖枠の上摺動子とは一体的に連結されていることが、好ましい。
【００２７】
これらの場合、ヒンジアームは、縦框側アーム部と、袖枠側アーム部と、縦框側アーム部および袖枠側アーム部を連結する連結アーム部とで平面視略「Ｕ」字状に形成され、且つ連結アーム部を、戸先縦框および袖枠の山折り側に露出させて配設することが、好ましい。
【００２９】
【発明の実施の形態】
以下、添付図面を参照して、本発明の一実施形態に係る折戸を浴室の開口部に設置した場合について説明する。この浴室には、天井に移動用介護ホイストのホイストレールが設けられており、吊下げベルトを介して身障者等を浴室内に移動させ、介護の一環として身障者等の入浴を容易にするものである。図１は、脱衣室側から見た浴室折戸の姿図であり、同図に示すように、浴室折戸１は、枠体２と、枠体２に開閉自在に装着した左右一対の２枚折戸３，３とで構成されている。
【００３０】
枠体２は、上枠５、下枠６および両縦枠７，７を枠組みして成り、上枠５の左右中間位置には、ホイストレールＲが直交する不連続部８が形成されている。すなわち、ホイストレールＲは建物の構造材に支持されており、ホイストレールＲを優先すべく上枠５は、左右中間位置で切断されている。これにより、上枠５は、ホイストレールＲが臨む不連続部８を挟んで直線上に位置する左上枠要素５ａと右上枠要素５ｂとで構成されている。
【００３１】
一方、各２枚折戸３は、戸先側扉体１０および戸尻側扉体１１を突き合わせ、連結金具１２を介して折曲げ自在に連結して、構成されている。また、各戸先側扉体１０には、袖枠１３が回動自在に取り付けられている。この場合、左側の戸先側扉体１０および戸尻側扉体１１が、左上枠要素５ａに対応する位置に配設され、右側の戸先側扉体１０および戸尻側扉体１１が、右上枠要素５ｂに対応する位置に配設されていて、左右の袖枠１３，１３が不連続部８に対応する位置に配設されている。これにより、一対の２枚折戸３，３は、中央でそれぞれの袖枠１３，１３を突き合わせて閉塞される。
【００３２】
図１、図２および図３に示すように、枠体２の上枠５は、逆「Ｌ」字状に形成した水平片２１ａおよび垂直片２１ｂから成る上枠本体２１と、垂直片２１ｂの下端から脱衣室Ｂ側に水平に延びる上枠見切り片２２と、水平片２１ａの見込み方向中間位置から上方に延びる突当て片２３と、水平片２１ａの浴室Ａ側の端から上方に延びる上枠額縁片２４とで、一体に形成されている。また、水平片２１ａの見込み方向中間位置には、各扉体１０，１１の開閉を案内する上ガイドレール２５が垂設されている。さらに、垂直片２１ｂの下端には、各扉体１０，１１の上框（後述する）５１に向かって延びる上シール部材２６が取り付けられている。
【００３３】
下枠６は、上記の上ガイドレール２６に対向する下ガイドレール３２が形成した下枠本体３１と、下枠本体３１の下側に連なる脚部３３と、下枠本体３１から脱衣室Ｂ側に逆「Ｌ」字状に延びるシール取付片３４と、シール取付片３４の上端から脱衣室Ｂ側に水平に延びる下枠見切り片３５とで、一体に形成されている。また、下枠本体３１の浴室Ａ側には、下枠本体３１との間に中空部を構成するように設けた閉塞部材３６が装着されている。さらに、シール取付片３４には、各扉体１０，１１の下框（後述する）５２に向かって延びる上シール部材３７が取り付けられている。
【００３４】
左右の各縦枠７は、縦枠中空部４１と、縦枠中空部４１から見込み方向脱衣室Ｂ側に延びる縦枠見切り片４２と、縦枠中空部４１から見付け方向に延びるシール取付片４３と、縦枠中空部４１の浴室Ａ側端から左右方向に延びる縦枠額縁片４４とで、一体に形成されている。そして、シール取付片４３には、戸尻縦框（後述する）５３に向かって延びる縦シール部材４５が取り付けられている。
【００３５】
一方、戸尻側扉体１１は、上框５１および下框５２と、戸尻縦框５３および連結縦框５４とを框組みすると共に、上框５１と下框５２との間に横桟５５を組み込み、これに上下のパネル体５６，５６を嵌め込んで構成されている。同様に、戸先側扉体１０は、上框５１および下框５２と、戸先縦框５７および連結縦框５４とを框組みすると共に、上框５１と下框５２との間に横桟５５を組み込み、これに上下のパネル体５６，５６を嵌め込んで構成されている。また、戸先側扉体１０の横桟５５には、脱衣室Ｂ側に引手部５８が形成され、浴室Ａ側に引手を兼ねるタオル掛け５９が取り付けられている。そして、各戸先縦框５７には、袖枠１３が回動自在に取り付けられている。また、各扉体１０，１１の下框５２には、室内外を連通する換気ガラリ６０が形成されている。なお、図３中の符号６１および６２は、それぞれ下框５２および連結金具１２に設けた下シール片であり、両下シール片６１，６２は、下ガイドレール３２に密接するようになっている。
【００３６】
各連結縦框５４は、矩形断面を有する縦框本体７１と、パネル体５６の端部を呑み込むパネル取付部７２と、連結金具１２を呑み込む金具収容部７３とで一体に形成されている。戸尻縦框５２は、略半円形断面を有する縦框本体７４と、パネル体５６の端部を呑み込むパネル取付部７５とで一体に形成されている。縦框本体７４の外周面には、縦シール片７６が取り付けられており、縦シール片７６は閉塞状態で縦枠７の内面に接触する。また、縦框本体７４の軸心には、上下にそれぞれヒンジピン７７が配設されている。同様に、戸先縦框５７は、略半円形断面を有する縦框本体７８と、パネル体５６の端部を呑み込むパネル取付部７９とで一体に形成されている。縦框本体７８の外周面には、縦シール片８０が取り付けられており、縦シール片８０は閉塞状態で袖枠１３の外面に接触する。また、縦框本体７８の軸心には、上下にそれぞれヒンジピン８１が配設されている。
【００３７】
そして、戸尻縦框５３には、上下のヒンジピン７７を介して戸尻上スライダおよび戸尻下スライダ（いずれも図示省略）がそれぞれ取り付けられ、各扉体１０，１１はこの戸尻上スライダおよび戸尻下スライダにより、上記の上ガイドレール２５および下ガイドレール３２に、それぞれスライド自在に支持されている。同様に、戸先縦框５７には、上下のヒンジピン８１を介して戸先上スライダ（上摺動子）８３および戸先下スライダ（下摺動子）８４がそれぞれ取り付けられ（いずれも後述する）、各扉体１０，１１はこの戸先上スライダ８３および戸先下スライダ８４により、上記の上ガイドレール２５および下ガイドレール３２に、それぞれスライド自在に支持されている。
【００３８】
ただし、戸尻上スライダおよび戸尻下スライダは、上下両ガイドレール２５，３２に不動に固定されている。これにより、両２枚折戸３，３は、それぞれの戸尻側扉体１１、戸先側扉体１０および袖枠１３が枠体２の幅いっぱいに横に並んだ閉扉位置と、それぞれの戸尻側扉体１１に戸先側扉体１０を重ねるように折り畳んだ開扉位置との間で、開閉される。
【００３９】
各袖枠１３は、戸先縦框５７に回動自在に取り付けられた袖枠本体９１と、対峙する袖枠１３に突き当てられる突当て部９２とで一体に形成されている。突当て部９２は、断面略「Ｃ」字状に形成され、その開放部分にはガスケット９３が装着されている。対峙する左右の袖枠１３，１３同士は、このガスケット９３，９３同士を突き当てることで、水密に閉塞される。
【００４０】
袖枠本体９１は、略半円形断面を有する戸先縦框５７の縦框本体７８と摺接しており、袖枠１３と戸先縦框５７との相互の回動動作では、縦框本体７８の円弧凸部７８ａと袖枠本体９１の円弧凹部９１ａとが摺接する。この場合、縦框本体７８の円弧凸部７８ａと袖枠本体９１の円弧凹部９１ａとは、いずれも縦框本体７８の軸心を中心とする円弧であり、相互の外周面は相補的形状に形成されている。そして、袖枠１３のほぼ中心位置にも、袖枠ヒンジピン９４が設けられている。
【００４１】
図４は、戸先縦框５７の上下のヒンジピン（縦框ヒンジピン）８１と、袖枠１３の上下の袖枠ヒンジピン９４とを表している。戸先縦框５７における縦框本体７８の上端の小口には上縦框ヒンジピン８１ａが、下端の小口には下縦框ヒンジピン８１ａがそれぞれ装着されている。同様に、袖枠１３における袖枠本体９１の上端の小口には上袖枠ヒンジピン９４ａが、下端の小口には下袖枠ヒンジピン９４ｂがそれぞれ装着されている。
【００４２】
そして、上縦框ヒンジピン８１ａおよび上袖枠ヒンジピン９４ａの上側には、戸先上スライダ８３が設けられている。すなわち、上縦框ヒンジピン８１ａおよび上袖枠ヒンジピン９４ａは、戸先上スライダ８３の下部に一体的に固定されている。戸先上スライダ８３の幅方向の中間位置にはガイドスリット８３ａが形成されており、このガイドスリット８３ａ介して戸先上スライダ８３が上ガイドレール２５にスライド自在に係合している。同様に、下縦框ヒンジピン８１ｂおよび下袖枠ヒンジピン９４ｂは、戸先下スライダ８４の上部に一体的に固定されており、戸先下スライダ８４に形成したガイドスリット８４ａを介して戸先下スライダ８４が下ガイドレール３２にスライド自在に係合している。
【００４３】
この場合、上下両袖枠ヒンジピン９４ａ，９４ｂは袖枠本体９１に固定的に装着されているが、上下両縦框ヒンジピン８１ａ，８１ｂは縦框本体７８に回動自在に装着されている。また、戸先上スライダ８３および戸先下スライダ８４と同様に、袖枠１３はその延在方向が左右方向となっている。このため、２枚折戸３の開閉移動に際し袖枠１３は、常に上下両ガイドレール２５，３２と平行に、すなわち、上枠５に平行な姿勢を維持しながら移動する。
【００４４】
図５に示すように、閉塞状態で上枠５の不連続部８に臨む左右の両袖枠１３，１３に対し、戸先上スライダ８３はその略半部が不連続部８に臨むようになっている。これにより、上ガイドレール２５から戸先上スライダ８３が脱落してしまうのを、有効に防止することができる。このように、戸先上スライダ８３および戸先下スライダ８４を介して、戸先縦框５７と袖枠１３とは上下両端で連結されており、この状態で後述する回動機構１５により相互に回動自在に連結されている。
【００４５】
回動機構１５は上下２箇所に配設されているが、これらは同一の構造であるため、ここでは上部の回動機構１５についてのみ説明する。図６は上部の回動機構１５を表しており、同図に示すように、回動機構１５は、戸先縦框５７の縦框本体７８内に取り付けた縦框ヒンジブロック１０１と、袖枠１３の袖枠本体９１内に取り付けた袖枠ヒンジブロック１０２と、これら両ヒンジブロック１０１，１０２を連結するヒンジアーム１０３とを有している。縦框ヒンジブロック１０１は、縦框本体７８と略同一の周面形状を有しており、縦框本体７８の上部に形成した切欠き溝１０４に装着され、この状態で縦框本体７８にねじ止めされている。同様に、袖枠ヒンジブロック１０２は、袖枠本体９１と略同一の周面形状を有しており、袖枠本体９１の上部に形成した切欠き溝１０５に装着され、この状態で袖枠本体９１にねじ止めされている。
【００４６】
また、縦框ヒンジブロック１０１には、その上下中間位置にヒンジアーム１０３が臨むアームスリット１０６が形成され、且つ上記の上縦框ヒンジピン８１ａの下部が上下方向に貫通している。同様に、袖枠ヒンジブロック１０２には、その上下中間位置にヒンジアーム１０３が臨むアームスリット１０７が形成され、且つ上記の上袖枠ヒンジピン９４ａの下部が上下方向に貫通している。そして、ヒンジアーム１０３の一方の端部は、縦框ヒンジブロック１０１のアームスリット１０６に挿入した状態で、上縦框ヒンジピン８１ａに回動自在に軸支され、他方の端部は、袖枠ヒンジブロック１０２のアームスリット１０７に挿入した状態で、上袖枠ヒンジピン９４ａに回動自在に軸支されている。
【００４７】
これにより、戸先縦框５７と袖枠１３とは、相互の円弧凸部７８ａと円弧凹部９１ａを案内にして、回動自在に連結されている。なお、この実施形態では、上縦框ヒンジピン８１ａおよび上袖枠ヒンジピン９４ａの下部により、ヒンジアーム１０３の両端部を回動自在に軸支しているが、これらヒンジピン８１ａ，９４ａに代えて、別体のヒンジピンでヒンジアーム１０３を軸支するようにしてもよい。但しこの場合には、別体のヒンジピンは、上縦框ヒンジピン８１ａおよび上袖枠ヒンジピン９４ａと同軸上に配設する必要がある。
【００４８】
次に、図７を参照して、回動機構１５の他の実施形態について説明する。実施形態では、戸先縦框５７と袖枠１３とが円弧面同士を突き合わせて連結され、円弧面に脱衣室Ｂ側から添設するようにヒンジアーム１１１が設けられ、且つこのヒンジアーム１１１を覆うように樹脂カバー１１２が設けられている。詳細は後述するが、この実施形態では、ヒンジアーム１１１は袖枠１３に固定されており、ヒンジアーム１１１を案内して戸先縦框５７が回動するようになっている。
【００４９】
この場合、ヒンジアーム１１１は、上縦框ヒンジピン８１ａに回動自在に軸支される縦框側アーム１１３と、上袖枠ヒンジピン９４ａに固定したターンナット１１４と、縦框側アーム１１３およびターンナット１１４を連結する連結ブロック１１５とで構成されている。連結ブロック１１５は、戸先縦框５７および袖枠１５の脱衣室Ｂ側（山折り側）に突出しており、連結ブロック１１５から縦框側アーム１１３およびターンナット１１４が直角に延在している。すなわち、ヒンジアーム１１１は、機構上、平面視略「Ｕ」字状に形成され、これに戸先縦框５７および袖枠１３に接触する左右の円弧凹部１１５ａ，１１５ｂが肉付けされている。この場合、戸先縦框５７に接触する円弧凹部（摺接案内部）１１５ａは、戸先縦框５７の外周面に摺接して戸先縦框５７の回動を案内し、袖枠１３に接触する円弧凹部１１５ｂは、袖枠１３の外周面に添設されている。
【００５０】
戸先縦框５７には縦框ヒンジブロック１１６が装着されており、縦框ヒンジブロック１１６のアームスリット１１７に挿入した状態で、上縦框ヒンジピン８１ａに回動自在に軸支されている。この場合戸先縦框５７は、アームスリット１１７の対応する部分のみ水平に切り欠かれており、この切欠き部分から縦框側アーム１１３が突出している。この構成では、戸先縦框５７および袖枠１３の浴室Ａ側（谷折り側）には、回動機構１５に関連する切欠き部等を形成する必要がないため、同図に示すようにシール片１１８，１１９を設けることができ、戸先縦框５７および袖枠１３間の良好な回動構造とシール構造とを両立させることができる。
【００５１】
ところで、上枠５は上述したように、不連続部８を挟んで直線上に位置する左上枠要素５ａと右上枠要素５ｂとで構成されている。このため、枠体２を組み上げた状態では、両上枠要素５ａ，５ｂは片持ち状態となり不安定な枠組み状態となる。そこで、本実施形態では、図８に示すように、商品出荷時や施工時には、連結部材１７により左上枠要素５ａと右上枠要素５ｂとを直線姿勢に連結しておくようにしている。不連続部８に面する左上枠要素５ａおよび右上枠要素５ｂの対向する端部には、上枠５の断面形状に対応する形状の左カバー１８ａおよび右カバー１８ｂがそれぞれ装着（ねじ止め）されている。そして、この両カバー１８ａ，１８ｂ間の寸法が、ほぼホイストレールＲの幅に合致しており、両カバー１８ａ，１８ｂ間にホイストレールＲの下端部が上側から臨んでいる。なお、ホイストレールＲと、この両カバー１８ａ，１８ｂ或いは両袖枠１３，１３の上端との間のシール構造は、ここでは省略している。
【００５２】
連結部材１７は、上連結部材１７ａと下連結部材１７ｂとで構成されている。上連結部材１７ａは、上記の両カバー１８ａ，１８ｂ間（不連続部８）に挟み込まれるように取り付けられており、左右両カバー１８ａ，１８ｂにそれぞれねじ止めされる左右一対の取付片部１２１，１２１と、これらを連結する連結片部１２２とで、略逆「Ｕ」字状に一体に形成されている。各取付片部１２１には、下部が開放された長孔１２１ａが形成され、段付きビス１２３によりこの長孔１２１ａを介して、左側の取付片部１２１は左カバー１８ａに、右側の取付片部１２１は右カバー１８ｂにそれぞれねじ止めされている。
【００５３】
一方、下連結部材１７ｂは、板材の両外端部に縦に切込みを入れ、この切込みで分断した部分の一方を上側に直角に折り曲げて形成されている。すなわち、下連結部材１７ｂは、ベース部１２５と、ベース部１２５から起立した左右一対の取付片部１２６，１２６とで一体に形成されている。左右の各取付片部１２６には、上記の段付きビス１２３が係合する上部が開放された長孔１２６ａがそれぞれ形成されている。下連結部材１７ｂは、そのベース部１２５を左右両カバー１８ａ，１８ｂの下端に突き当てると共に、その左右の取付片部１２６，１２６を上連結部材１７ａの内側に装着し、この状態で段付きビス１２３により、両取付片部１２１，１２６を共締めして左右両カバー１８ａ，１８ｂが固定されている。また、下側からベース部１２５を貫通して上連結部材１７ａの連結片部１２２に螺合した２本の固定ねじ１２７，１２７により、上連結部材１７ａと下連結部材１７ｂとが相互に固定されている。
【００５４】
この構成では、主として上連結部材１７ａにより、左上枠要素５ａと右上枠要素５ｂとの間の離間状態が保持され、主として下連結部材１７ｂにより、左上枠要素５ａと右上枠要素５ｂとの間の直線姿勢が保持されている。このように、連結部材１７により一体化した上枠５を用いて枠体２を構成（枠組み）し、商品の出荷や施工を行うようにする。そして、施工後は、上記の固定ねじ１２７を外すと共に段付きビス１２３を緩め、下連結部材１７ｂを下方に引き抜くと共に、上連結部材１７ａを半回転した後、下方に引き抜くようにする。
【００５５】
このように、連結部材１７を介して左上枠要素５ａと右上枠要素５ｂとを一体化しておくことにより、商品出荷時や施工時に、左上枠要素５ａおよび右上枠要素５ｂがふらつくことがなく、通常の上枠と同様に取り扱うことができる。また、施工後は、連結部材１７を取り外すことで、ホイストの使用の邪魔になることがない。
【００５６】
以上のように本実施形態によれば、戸先縦框５７の外側に袖枠１３を回動自在設け、この袖枠１３を上枠５の不連続部８に臨ませるようにしているので、一対の２枚折戸３，３を閉塞した状態で戸先縦框５７や袖枠１３が、不連続部８から外れることがなく、且つ袖枠１３，１３同士の突き合わせで浴室折戸１自体の水密性も確保することができる。また、２枚折戸３，３を開放した状態では、袖枠１３が開放部分に突出するが、この突出寸法はわずかなものであり（不連続部８の寸法とほぼ同寸法、開放部分が狭くなる）、袖枠１３がホイストを使用する際に邪魔になることがない。
【００５７】
次に、図９を参照して、２枚折戸３の他の実施形態について説明する。この実施形態では、一対の２枚折戸３，３の一方（図示では左側の２枚折戸）にのみ、袖枠１３が設けられている。この場合には、袖枠１３の幅が不連続部８の幅とほぼ合致している。また、左側の戸先縦框５７に設けた上縦框ヒンジピン８１ａと、袖枠１３に設けた上袖枠ヒンジピン９４ａとは戸先上スライダ８３に一体的に取り付けられ、閉塞状態における戸先上スライダ８３は、左上枠要素５ａと不連続部８との間に跨るように位置する。
【００５８】
この実施形態によっても、２枚折戸３，３を閉塞した状態で戸先縦框５７や袖枠１３が、不連続部８から外れることがなく、浴室折戸１自体の水密性も確保することができる。また、２枚折戸３，３を開放した状態では、袖枠１３が開放部分の突出するが、この突出寸法はわずかなものであり、袖枠１３がホイストを使用する際に邪魔になることがない。
【００５９】
次に、図１０および図１１を参照して、浴室折戸１の第２実施形態について説明する。この浴室折戸１は、ホイストを考慮したものではないが、バリアフリーを考慮して有効開口幅を広くとるようにしている。この実施形態は、上枠５に不連続部が無いことを除いて、ほぼ第１実施形態と同様の構造を有している。すなわち、両図に示すように、第２実施形態の浴室折戸１は、枠体２と、枠体２に開閉自在に装着した左右一対の２枚折戸３，３とで構成されている。
【００６０】
また、枠体２は、上枠５、下枠６および両縦枠７，７を枠組みして成り、後述するように上枠５には、一対の２枚折戸３，３の開閉連動機構１９が組み込まれている。一方、各２枚折戸３は、戸先側扉体１０および戸尻側扉体１１を突き合わせ、連結金具１２を介して折曲げ自在に連結して、構成されている。また、図９と同様に、一方の２枚折戸３の戸先側扉体１０には、袖枠１３が回動自在に取り付けられている。さらに、開閉連動機構１９と協働して、一対の２枚折戸３，３を円滑に開閉させる蹴出・蹴込機構２０が設けられている。なお、図中の符号５８は、戸先側扉体１０における連結縦框５４の脱衣室Ｂ側に形成した、縦長の引手部であり、符号５９は、戸先側扉体１０における連結縦框５４および戸先縦框５７間の浴室Ａ側に渡した横長の引手を兼ねるタオル掛けである。
【００６１】
図１１に示すように、上枠５は、上枠水平片１３１ａおよび上枠額縁片１３１ｂから成る上部上枠１３１と、方形且つ中空断面の中間部上枠１３２と、上ガイドレール１３３ａおよびシール取付片１３３ｂを有する下部上枠１３３とで構成されている。上部上枠１３１は中間部上枠１３２の上面にねじ止めされ、また下部上枠１３３は、補強板１３４と共に中間部上枠１３２の下面にねじ止めされている。そして、中間部上枠１３２の浴室Ａ側の正面に開閉連動機構１９が組み込まれている。
【００６２】
図１１、図１２および図１３に示すように、開閉連動機構１９は、中間部上枠１３２の両外端部近傍に配設した左右一対のプーリ１４１，１４１と、一対のプーリ１４１，１４１間に掛け渡したワイヤー１４２と、ワイヤー１４２の半周位置にそれぞれ固定した一対の固定体１４３，１４３とで、構成されている。各プーリ１４１は、支持プレート１４４に回転自在に取り付けられており、支持プレート１４４は、調節ねじ（図示省略）を介してベースプレート１４５に取り付けられている。調節ねじは、支持プレート１４４とベースプレート１４５との相互の折曲げ片１４４ａ，１４５ａ間に介設されており、その締め付けにより支持プレート１４４をベースプレート１４５側に微小移動させることにより、プーリ１４１を介してワイヤー１４２に適度な張りを持たせるようにしている。なお、ベースプレート１４５は中間部上枠１３２の正面に固定されている。
【００６３】
一対の固定体１４３，１４３の内、一方の固定体１４３は、袖枠１３付きの２枚折戸３の戸先上スライダ８３に取り付けられ、他方の固定体１４３は、袖枠１３無しの２枚折戸３の戸先上スライダ８３に取り付けられている。そして例えば、一方の固定体１４３はワイヤー１４２の上走行側（半周位置）に、他方の固定体１４３はワイヤー１４２の下走行側（半周位置）に、それぞれ固定用リング１４６を介して固定されている。このような構成では、２枚折戸３を開閉動作させると、これに設けた固定体１４３が左右の一方向に移動する。この一方の固定体１４３の移動により、ワイヤー１４２を介して他方の固定体１４３が左右の逆方向に移動する。すなわち、開閉連動機構１９により、一方の２枚折戸３を開閉動作させると、これに連動して他方の２枚折戸３が同時に開閉動作する。なお、開閉連動機構１９は、上記のワイヤー１４２を用いるものの他、チェーンやベルト（タイミングベルト）を用いるものでもよいし、ラック・ピニオンなどの歯車機構を用いるものであってもよい。
【００６４】
ところで、２枚折戸３の開閉にあたっては、左右方向に力を加えるだけでなく、その開放動作開始時および閉塞動作終了時に、折曲げ方向に力を加える必要がある。そこで、この実施形態では、図１０に示すように、一対の２枚折戸３，３を相互に蹴出し・蹴込み可能な蹴出・蹴込機構２０が設けられている。蹴出・蹴込機構２０は、蹴出アーム１５１と、蹴出アーム１５１の外側に位置する蹴込アーム１５２とを組とし、その２組をもって構成されている。すなわち、一方の２枚折戸３の戸先縦框５７には、その上端部に蹴出アーム１５１が下端部に蹴込アーム１５２がそれぞれ固定され、逆に他方の２枚折戸３の戸先縦框５７には、その上端部に蹴込アーム１５２が下端部に蹴出アーム１５１がそれぞれ固定されている。
【００６５】
蹴出アーム１５１および蹴込アーム１５２は、袖枠１３の外側（脱衣室側）で左右方向にオーバーラップするように係合しており、蹴出アーム１５１を開放動作時の駆動側とすると、これに対応する従動側の蹴込アーム１５２は被蹴出アームとして蹴り出される。一方、蹴込アーム１５２を閉塞動作時の駆動側とすると、これに対応する従動側の蹴出アーム１５１は被蹴込アームとして蹴り込まれる。すなわち、一対の２枚折戸３，３において、例えば下端部に配設した蹴出アーム１５１および蹴込アーム１５２により、開放動作開始時の蹴り出しが行われ、上端部に配設した蹴出アーム１５１および蹴込アーム１５２により、閉塞動作終了時の蹴り込みが行われる。
【００６６】
なお、この実施形態では、一対の２枚折戸３，３の上下において、蹴出アーム１５１と蹴込アーム１５２とを左右逆に取り付けることで、蹴出し・蹴込み機能を奏するようにしているが、蹴出アーム１５１と蹴込アーム１５２とを、その凹部と凸部を係合させる形態とすることで、蹴出し・蹴込み機能を持たせるようにしてもよい。また、連動に伴う一対の２枚折戸３，３の開閉が重くなる場合には、開閉の駆動側となる２枚折戸３を予め決めておき、駆動側の２枚折戸３にのみラッチ機構を組み込むと共に、上下各組みの蹴出アーム１５１と蹴込アーム１５２とを左右同方向に取り付けて、蹴出しのみを行うようにしてもよい。
【００６７】
ところで、第２実施形態の袖枠１３は、上記第１実施形態の袖枠１３のようにホイストレールＲを考慮して設けられているものではない。第２実施形態の袖枠１３は、図示では省略しているがその幅の異なる複数種のものが用意され、或いは縦方向の切断することにより容易に幅変更できるようになっている。これにより、各２枚折戸３は、戸先側扉体１０および戸尻側扉体１１を切り詰めることなく、出入口の幅が区々であってもその開口幅に対応させることができる。
【００６８】
すなわち、２枚折戸３，３を２組用いて浴室折戸１を構成することにより、デッドスペースを小さく且つ有効開口幅を広くすることができると共に、袖枠１３を設けることにより、各種の開口幅に対応可能としている。また、上記の開閉連動機構１９と蹴出・蹴込機構２０との協働により、一方の２枚折戸３，３を円滑に且つ連動して開閉動作させるようにしている。
【００６９】
なお、本実施形態では、本発明の折戸を浴室折戸を例について説明したが、シャワー室等のいわゆる水場をはじめ、各種の折戸に適用できることは、いうまでもない。
【００７０】
【発明の効果】
以上のように本発明の折戸によれば、開口部を一対の２枚折戸体で開閉するようにしてるため、引戸などに比して有効開口幅を大きくとることができ、且つドア等に比して開閉のためのデッドスペースを小さくすることができる。また、一対の２枚折戸体の少なくとも一方に袖枠を設けているため、各種幅の異なる袖枠を用意すること、或いは袖枠を切り詰めることにより、２枚折戸体を汎用的に用いて、各種幅の異なる開口部に対応させることができる。
【００７１】
また、上枠にホイストレールが直交するものにあっては、戸先縦框に袖枠を回動自在に設けているため、２枚折戸を閉塞した状態で、不連続部に対応する部分を袖枠で閉塞することができると共に、袖枠が不連続部から外れてしまうの防止することができる。また、２枚折戸を開放した状態で、袖枠が開放部分に大きく張り出すことがない。したがって、上枠をホイストレールが直交する構造であっても、開閉の円滑さを損なうことなく且つ開放状態で十分な開口空間を構成することが可能となる。
【図面の簡単な説明】
【図１】本発明の一実施形態に係る折戸の姿図である。
【図２】実施形態に係る折戸の横断面図である。
【図３】実施形態に係る折戸の縦断面図である。
【図４】実施形態に係る折戸のスライダ廻りの拡大斜視図である。
【図５】実施形態に係る折戸のスライダ廻りの正面図である。
【図６】戸先縦框と袖枠との間に介設した回動機構の分解斜視図である。
【図７】他の実施形態に係る回動機構の構造図である。
【図８】上枠に設けた連結部材廻りの構造図である。
【図９】他の実施形態の係る２枚折戸の構造図である。
【図１０】第２実施形態に係る折戸の横断面図である。
【図１１】第２実施形態に係る折戸の縦断面図である。
【図１２】開閉連動機構廻りの構造図である。
【図１３】開閉連動機構の主要部の斜視図である。
【符号の説明】
１  折戸、２  枠体、３  ２枚折戸、５  上枠、５ａ  左上枠要素、５ｂ  右上枠要素、８  不連続部、１０  戸先側扉体、１１  戸尻側扉体、１３  袖枠、１５  回動機構、１７  連結部材、１９  開閉連動機構、２０  蹴出・蹴込機構、２５  上ガイドレール、３２  下ガイドレール、５７  戸先縦框、７８  縦框本体、７８ａ  円弧凸部、８１  縦框ヒンジピン、８３  戸先上スライダ、８４戸先下スライダ、９１  袖枠本体、９１ａ  円弧凹部、９４  袖枠ヒンジピン、１０３  ヒンジアーム、１１１  ヒンジアーム、１１３  縦框側アーム、１１４  ターンナット、１１５  連結ブロック、１１５ａ  円弧凹部、１４１  プーリ、１４２  ワイヤー、１４３  固定体、１５１  蹴出アーム、１５２  蹴込アーム、Ａ  浴室、Ｂ  脱衣室、Ｒ  ホイストレール
【図１】
0003617949.tif 000002
【図２】
0003617949.tif 000003
【図３】
0003617949.tif 000004
【図４】
0003617949.tif 000005
【図５】
0003617949.tif 000006
【図６】
0003617949.tif 000007
【図７】
0003617949.tif 000008
【図８】
0003617949.tif 000009
【図９】
0003617949.tif 000010
【図１０】
0003617949.tif 000011
【図１１】
0003617949.tif 000012
【図１２】
0003617949.tif 000013
【図１３】
0003617949.tif 000014